(57)【要約】【課題】施工性が良好で且つ、部品の脱落による止水不良を抑制することができるボールタップ式開閉弁装置を備えた洗浄水タンク装置提供する。【解決手段】洗浄タンク装置であって、洗浄タンク内に設けられたボールタップ式開閉弁装置を備え、揺動部材の他方には、弁座と接続される弁体取付部と、弁座と揺動可能に固定される２つの腕部が弁体取付部を挟んで設けられ、弁座は、腕部に設けられた固定部と嵌合する２つの弁座側固定孔と、固定部を前記弁座側固定孔に誘導するガイド部が設けられ、ガイド部は揺動部材が揺動することを規制する揺動規制部を有する。【選択図】図１１
2019060181.tif 000002
【特許請求の範囲】
【請求項１】
洗浄水を貯水できる洗浄水タンク装置であって、
便器に供給する洗浄水を貯水する洗浄水タンクと、
給水源からの洗浄水を前記洗浄水タンク内の給水口へと給水する給水流路と、
前記給水流路に設けられた弁座と、前記洗浄水タンク内の洗浄水の水位の変動に応じて上下動するフロートと、一方が前記フロートに接続され、他方が前記弁座に接続され、前記フロートが上下動することにより揺動して前記給水流路を開閉動作させる揺動部材とを有するボールタップ式開閉弁装置と、を備え、
前記揺動部材の前記他方には、前記弁座と接続される弁体取付部と、前記弁座と揺動可能に固定される２つの腕部が前記弁体取付部を挟んで設けられ、
前記弁座は、前記腕部に設けられた固定部と嵌合する２つの弁座側固定孔と、前記固定部を前記弁座側固定孔に誘導するガイド部が設けられ、前記ガイド部は前記揺動部材が揺動することを規制する揺動規制部を有することを特徴とする洗浄水タンク装置。
【請求項２】
前記ガイド部は前記弁座側固定孔と連通する溝であって、前記溝は前記弁座側固定孔の軸心とは異なる軸心を経由して連通することを特徴とする請求項１に記載の洗浄水タンク装置。
【請求項３】
前記ガイド部は前記弁座側固定孔と連通する溝であって、前記溝は幅方向がＶ字状に形成されたＶ字溝であることを特徴とする請求項１又は２に記載の洗浄水タンク装置。
【発明の詳細な説明】
【技術分野】
【０００１】
本発明は、便器を洗浄する洗浄水を貯水する洗浄水タンク装置に関する。
【背景技術】
【０００２】
従来、便器洗浄のための洗浄タンクには、洗浄タンク内の洗浄水が排水弁の開弁によって放出されることで自動的に洗浄タンク内に給水を行い、洗浄タンク内を満水化するボールタップ式開閉弁装置が備えられている。このボールタップ式開閉弁装置は、洗浄タンク内の水位に連動して昇降するフロートと、給水弁及びその給水弁の下流側の洗浄水タンク内給水流路と、フロートと給水弁とを連繋し、フロートの昇降に連動して給水弁を開閉させる揺動部材と、を有している。
【０００３】
そして、洗浄タンク内の洗浄水の放出に伴う洗浄タンク内水位の下降（即ちこれに連動したフロートの下降）により給水弁を開いて洗浄タンク内給水流路を通じ洗浄タンク内に給水を行い、また洗浄タンク内水位の上昇により（即ちこれに連動したフロートの上昇により）給水弁を閉じ、洗浄タンク内への給水を停止する。
【０００４】
先行文献１に記載の水洗大便器によれば、給水弁の開閉を行う弁体取付部と、給水弁弁座と固定されるための固定部を備えた２つの腕部とが先端に設けられた揺動部材を備えたボールタップ式開閉弁が開示されている。これによれば、固定部は揺動可能（回転可能）に給水弁に取り付けられており、固定部を支点として揺動することで給水弁の開閉を行っている。
【先行技術文献】
【特許文献】
【０００５】
【特許文献１】特開２０１４−７０４１５号公報
【発明の概要】
【発明が解決しようとする課題】
【０００６】
ここで、先行文献１に記載の揺動部材によれば、弁体取付部を挟んで左右に設けられた２つの腕部はある程度の変形が可能であり、給水弁の組み付けの際にはこれらを変形させることで、給水弁弁座の固定孔と揺動部材の固定部を嵌合させて組み付け性を向上させている。
【０００７】
しかし、このようなボールタップ式開閉弁装置においては、一方の腕部に形成された固定部が給水弁弁座の固定孔に固定され他方の腕部の固定部が給水弁弁座に固定されていない状態であっても、２つの突出部の支点がある程度同軸上であれば、正常に揺動して給水動作が行われてしまう。これにより、施工者が正常に施工されたと誤認してしまい、このように取り付けられたボールタップ式開閉弁装置においては、振動等による想定外の外力が加わってしまうと揺動部材が脱落してしまい、止水不良となるおそれがある。
【０００８】
そこで、本発明は、上述した課題を解決するためになされたものであり、施工性が良好で且つ、部品の脱落による止水不良を抑制することができるボールタップ式開閉弁装置を備えた洗浄水タンク装置を提供することを目的とする。
【課題を解決するための手段】
【０００９】
上記目的を達成するために、本発明は、洗浄水を貯水できる洗浄水タンク装置であって、便器に供給する洗浄水を貯水する洗浄水タンクと、給水源からの洗浄水を洗浄水タンク内の給水口へと給水する給水流路と、給水流路に設けられた弁座と、洗浄水タンク内の洗浄水の水位の変動に応じて上下動するフロートと、一方がフロートに接続され、他方が弁座に接続され、フロートが上下動することにより揺動して給水流路を開閉動作させる揺動部材とを有するボールタップ式開閉弁装置と、を備え、揺動部材の他方には、弁座と接続される弁体取付部と、弁座と揺動可能に固定される２つの腕部が弁体取付部を挟んで設けられ、弁座は、腕部に設けられた固定部と嵌合する２つの弁座側固定孔と、固定部を弁座側固定孔に誘導するガイド部が設けられ、ガイド部は揺動部材が揺動することを規制する揺動規制部を有する。
【００１０】
このように構成された本発明においては、腕部を弁座側固定孔に誘導するためのガイド部が設けられているため、腕部に設けられた固定部と弁座側固定孔とが正常に嵌合するよう誘導することができ施工性が良い。また、ガイド部には、揺動規制部が設けられているため、弁座側固定孔に正常に固定されずガイド部に固定部が位置する場合には、揺動部材が揺動することを規制する。これにより、施工者が正常に施工されたと誤認してしまうことを抑制することができる。したがって、正常にボールタップ式開閉弁装置を施工することができるため、揺動部材の脱落による止水不良を抑制することができる。
【００１１】
ここで、本明細書における「揺動する」とは、ある部材が揺れ動く様を指しており、支点に対して回転するように動くものもこれに含むものとする。また、本明細書における「嵌合する」とは一方の部材と他方の部材とが嵌まり合うことを意味しており、接着固定されているものはこれに含まない。
【００１２】
本発明において好ましくは、ガイド部は弁座側固定孔と連通する溝であって、溝は弁座側固定孔の軸心とは異なる軸心を経由して連通する。
【００１３】
このように構成された本発明においては、２つの弁座側固定孔の軸心とは異なる軸心部分を経由するようガイド部が設けられているため、片方のみの固定部と弁座側固定孔とが嵌合した場合には、軸心がずれた状態となるため揺動部材が正常に揺動せず異常な軌跡となる。これにより、施工者が正常に施工されたと誤認してしまうことを抑制することができる。したがって、施工者が正常にボールタップ式開閉弁装置を施工することができるため、揺動部材の脱落による止水不良を抑制することができる。
【００１４】
本発明において好ましくは、ガイド部は弁座側固定孔と連通する溝であって、溝は幅方向がＶ字状に形成されたＶ字溝である。
【００１５】
このように構成された本発明においては、ガイド部の溝がＶ字に形成されているため、弁座側固定孔に達する前の溝に固定部があるときに、２つの傾斜面と固定部材とが当接することとなり、揺動部材が正常に揺動することを規制する。これにより、施工者が正常に施工されたと誤認してしまうことを抑制することができる。したがって、施工者が正常にボールタップ式開閉弁装置を施工することができるため、揺動部材の脱落による止水不良を抑制することができる。
【発明の効果】
【００１６】
本発明によれば、施工性が良好で且つ、部品の脱落による止水不良を抑制することができるボールタップ式開閉弁装置を備えた洗浄水タンク装置を提供することを目的とする。
【図面の簡単な説明】
【００１７】
【図１】本発明の一実施形態による洗浄水タンク装置が適用された水洗大便器の断面図である。
【図２】本発明の一実施形態による洗浄水タンク装置を便器後方左側斜め上方から見た斜視図である。
【図３】本発明の一実施形態による洗浄水タンク装置を左側から見た側面図である。
【図４】本発明の一実施形態による洗浄水タンク装置において洗浄水の水位が満水水位にある状態を示す平面図である。
【図５】図４のV-V線に沿って見た断面図である。
【図６】本発明の一実施形態による洗浄水タンク装置の給水装置を拡大した拡大図である。
【図７】本発明の一実施形態による洗浄水タンク装置の給水装置を拡大した平面拡大図である。
【図８】図７のVIII-VIII線に沿って見た断面図である。
【図９】本発明の一実施形態における揺動部材と弁座との固定方法を示す斜視図である。
【図１０】本発明の一実施形態における弁座の拡大斜視図である。
【図１１】本発明の一実施形態における揺動部材と弁座とが誤施工された状態を示す平面図である。
【発明を実施するための形態】
【００１８】
以下では、本明細書に開示する発明の実施の形態について図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００１９】
図１に示すように、符号１は水洗大便器を示し、この水洗大便器１は、便器本体２を備え、この便器本体２には、ボウル部４と、導水路６と、ボウル部４の下部と連通する排水トラップ管路８がそれぞれ形成されている。
便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００２０】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００２１】
便器本体２の導水路６の上方には、便器本体２に供給する洗浄水を貯水する洗浄水タンク装置１８が設けられ、この洗浄水タンク装置１８に貯水された洗浄水が便器本体２に供給されるようになっている。この洗浄水タンク装置１８は、通常は外装カバー１９に覆われ、使用者には、外装カバー１９は容易には取り外しにくく、外装カバー１９を取り外さないと洗浄水タンク装置１８内部が見えないようになっている。この洗浄水タンク装置１８は、洗浄水タンク２０を備え、この洗浄水タンク２０の底部には、上下方向に延びる排水口２２が形成され、この排水口２２の下端は便器本体２の導水路６と連通し、洗浄水タンク２０内の洗浄水が排水口２２から便器本体２の導水路６に供給されるようになっている。
【００２２】
つぎに、図２乃至図５により、洗浄水タンク装置１８の詳細について説明する。  図２は、本発明の一実施形態による洗浄水タンク装置を便器後方左側斜め上方から見た斜視図であり、図３は、本発明の一実施形態による洗浄水タンク装置を左側から見た側面図であり、図４は、本発明の一実施形態による洗浄水タンク装置において洗浄水の水位が満水水位にある状態を示す平面図であり、図５は、図４のV-V線に沿って見た断面図である。なお、図５においては、洗浄水タンクの満水時の満水水位をＷＬ１で示し、洗浄水タンクのボールタップ式開閉弁装置の止水水位をＷＬ２で示し、洗浄水タンクのオーバーフロー管に洗浄水がオーバーフローする水位をＷＯＦで示している
【００２３】
排水弁装置２４は、オーバーフロー管３０と、オーバーフロー管３０の下端部に固着された排水弁３２と、オーバーフロー管３０を上下動させることにより排水弁３２を開閉操作する回動装置３４を備えている。
また、洗浄水タンク２０の排水口２２の周辺部には、排水弁３２の上下動をガイドし且つ高さ位置を規制するガイド部材３６が取り付けられている。
【００２４】
オーバーフロー管３０は、上下方向に延びる円筒状の管部材である。そして、洗浄水タンク２０内の洗浄水の水位が、満水水位ＷＬ１を超えてさらに水位ＷＯＦまで上昇し、オーバーフロー管３０の上端の高さ位置を上回ったときには、洗浄水がオーバーフローし、オーバーフロー管３０の上端からその円筒管内を通って洗浄水タンク２０の排水口２２から便器本体２側に供給されるようになっている。
【００２５】
さらに、回動装置３４は、ＤＣモータ等の駆動手段を設けた駆動装置である、この回動装置３４から延びる回転軸３８の先端には、玉鎖４０が取り付けられている。この玉鎖４０の下方部分は、オーバーフロー管３０に取り付けられている。回動装置３４が玉鎖４０を上方に引き上げるように回転軸３８を回転させると、オーバーフロー管３０が玉鎖４０と共に上昇し、回動装置３４が玉鎖４０を引き下げるように回転軸３８を回転させると、オーバーフロー管３０が玉鎖４０と共に下降するようになっている。
回動装置３４は、停電時に、使用者が操作レバー（図示せず）を直接回転操作して回転軸３８を回転させて排水弁３２の開閉ができるような手動式の操作機構を備えている。
【００２６】
フロートスイッチ２６は、洗浄水タンク２０の内部の上方に配置され、洗浄水タンク２０の頂部よりその軸心部２６ａが下向きになるように取付けられている。フロートスイッチ２６は、所定の満水水位ＷＬ１を電気的に検知し、その検知信号をコントローラ（図示せず）に送信するようになっている。
【００２７】
つぎに、図６乃至図８により、本発明の一実施形態による給水装置２８の具体的な構成について説明する。
図６は本発明の一実施形態による洗浄水タンク装置の給水装置を拡大した拡大図であり、図７は本発明の一実施形態による洗浄水タンク装置の給水装置を拡大した平面拡大図であり、図８は図７のVIII-VIII線に沿って見た断面図である。
【００２８】
図６乃至図８に示すように、給水装置２８には、上流側から、外部の水道等の給水源（図示せず）に接続された一次側通水路（給水流路）４２と、内部の洗浄水の圧力が変動する圧力室４４と、電気によって作動される洗浄水の洗浄水タンク２０内への吐水と止水を切り替える電磁弁装置４６、電気を使わず機械的に作動される洗浄水の洗浄水タンク２０内への吐水と止水を切り替えるボールタップ式開閉弁装置４８、主弁体部５０と、洗浄水タンク２０内部に延びる二次側通水路（給水流路）５２と、圧力室４４の内部圧力を二次側通水路５２に開放する第１のパイロット穴部５４と、第１のパイロット穴部５４と二次側通水路５２とを連通する二次側流路５６と、圧力室４４の内部圧力を洗浄水タンク２０内空間に開放する第２のパイロット穴部５８と、第２のパイロット穴部５８と圧力室４４とを連通する連通流路６０と、二次側通水路５２からの洗浄水を洗浄水タンク２０内部に給水する（吐水する）給水口部６２と、が設けられている。また、給水装置２８は、フロートスイッチ２６で検出された検出信号に基づいて電磁弁装置４６を開閉制御する制御手段であるコントローラ（図示せず）を備えている。
図８に概略的に示すように、ボールタップ式開閉弁装置４８、第２のパイロット穴部５８及び給水口部６２等は、洗浄水タンク２０内側に配置され、さらに、図２及び図３等に示すように、電磁弁装置４６及びこの電磁弁弁体６４が着座する第１のパイロット穴部５４等は、電子部品が洗浄水タンク２０内の湿度の高い空気の影響を受けるのを防ぐように、洗浄水タンク２０の外側に配置されている。
第２のパイロット穴部５８は、給水装置２８において自身の穴部が洗浄水タンク２０の内部空間に開口するように形成されており、第２のパイロット穴部５８と圧力室４４との間にはこれらを連通する連通流路６０が形成され、この連通流路６０は、第２のパイロット穴部５８より内径が大きく形成された拡径部６０ａを有している。この連通流路６０が圧力室４４から洗浄水タンク２０の内部空間まで比較的長い距離にわたって形成される場合にも、拡径部６０ａによって連通流路６０を通過する洗浄水が圧力損失を受けるのを抑制することができる。連通流路６０の拡径部６０ａは、通過する洗浄水が圧力損失を受けて通過できなくなることを防ぐのに十分な流路内径を有するように形成されている。
【００２９】
電磁弁装置４６は、電磁弁弁体６４と、電磁弁弁体６４と接続されたプランジャ６６と、非通電時には電磁弁弁体６４及びプランジャ６６を電磁弁装置４６を閉止するように付勢しているばね６８とを備えている。電磁弁装置４６は、コントローラ（図示せず）の制御信号により通電されるとばね６８が縮み電磁弁弁体６４及びプランジャ６６を電磁弁装置４６を開放するように移動させるように構成されている。電磁弁装置４６は、フロートスイッチ２６が洗浄水タンク２０の満水水位ＷＬ１を電気的に検知していない場合には、電磁弁装置４６が開放状態にされ、フロートスイッチ２６が洗浄水タンク２０の満水水位ＷＬ１を電気的に検知している場合には、電磁弁装置４６が閉止状態にされるようになっている。
電磁弁装置４６の電磁弁弁体６４は、第１のパイロット穴部５４上に着座して、第１のパイロット穴部５４を閉止できるようになっており、第１のパイロット穴部５４を開閉させることにより、主弁体部５０を開閉させて、二次側通水路５２を開閉させることができる。
なお、ここでは、開閉弁装置に電磁弁装置４６を用いた態様について説明したが、、下記に詳述するボールタップ式開閉弁装置４８として構成してもよい。
【００３０】
ボールタップ式開閉弁装置４８は、第２のパイロット穴部５８上に着座して、第２のパイロット穴部５８を閉止できる弁体７０と、洗浄水タンク２０内の洗浄水の水位の変動に応じて上下動するフロート７２と、一方がフロート７２に接続され、且つ他方が弁体７０に接続され、フロート７２が上下動することにより揺動して弁体７０を機械的に開閉動作させる揺動部材７４と、を備えている。
ボールタップ式開閉弁装置４８の弁体７０は、第２のパイロット穴部５８を開閉させることにより、後述するように主弁体部５０を開閉させて、二次側通水路５２を開閉させることができる。
揺動部材７４は、フロート７２をその高さ調節を可能にしながら支持するフロート支持腕部７６と、フロート支持腕部７６の基部を形成しフロート支持腕部７６の上方上下運動に連動して弁体７０を開閉できるように取付ける弁体取付部７８とを備えている。具体的には、フロート支持腕部７６が上方移動するとき、弁体取付部７８が下方移動して弁体７０を第２のパイロット穴部５８に押し付けて閉止させ、フロート支持腕部７６が下方移動するとき、弁体取付部７８が上方移動して弁体７０を第２のパイロット穴部５８から離間させて開放させるようになっている。
【００３１】
主弁体部５０は、いわゆるダイヤフラム弁を形成し、二次側通水路（給水流路）５２の入口端に設けられた弁座８０と、この弁座８０に着座して二次側通水路５２を閉止する止水状態（閉弁状態）と弁座８０から離間して二次側通水路５２を開放する給水状態（開弁状態）とを切り替える主弁体８２とを備え、さらに、主弁体部５０の一部には一次側通水路４２と圧力室４４とを連通するブリード穴８４が形成されている。
さらに、主弁体部５０は、その中心軸に沿って圧力室４４側に、第１のパイロット穴部５４を形成しており、第１のパイロット穴部５４から二次側通水路５２まで連通する二次側流路５６を内部に形成している。
主弁体８２は、圧力室４４の内部圧力及び一次側通水路４２の水圧力との圧力差により二次側通水路５２の入口端の弁座８０に向かって当接する方向又は弁座８０から離間する方向に移動するように設置されている。主弁体部５０に形成されたブリード穴８４により、主弁体８２が閉弁した状態において、一次側通水路４２と圧力室４４とが連通して、圧力室４４に一次側通水路４２からの水圧が作用するようになっている。
【００３２】
図５に示すように、ボールタップ式開閉弁装置４８のフロート７２は、フロートスイッチ２６よりも低い位置に配置され、洗浄水タンク２０が満水水位ＷＬ１となる場合には、フロート７２の下面がその満水水位ＷＬ１に対して水中に入っている状態となり、フロート７２の下部が水面の揺らぎによって微動を繰り返すことが無い程度に十分に満水水位ＷＬ１に対して水没した状態となっている。別の表現では、フロート７２は、満水水位のとき、その下面が、水面の揺らぎに連動しないように、満水水位より低い位置で上昇が停止されるように配置されている。
【００３３】
次に、図７、図９により、本発明の一実施形態による揺動部材７４の具体的な構成に関して説明する。図９は弁座８０と揺動部材７４との固定方法を示す斜視図である。
【００３４】
図７に示すように、揺動部材７４は、一方側にフロート７２をその高さ調節を可能にしながら支持するフロート支持腕部７６と、他方側にフロート支持部腕７６の上下運動に連動して弁体７０を開閉できるように取付ける弁体取付部７８とを備えている。
【００３５】
また、図９に示すように、他方側には弁体取付部７８が中央に位置するように２つの腕部９０が設けられている。この腕部９０は弁体取付部７８に対して左右方向から分岐して延在するように構成されており、弁体取付部７８の方向に変形可能に設けられている。揺動部材を取り付ける際には、この腕部９０を変形させて固定することができる。さらに、それぞれの腕部９０の先端には弁座８０と篏合する固定部９２が左右対称となるように設けられている。
【００３６】
ここで、弁座８０は給水流路５２（図示せず）を取り囲むように立壁が設けられており、この立壁には固定部９２と篏合するための弁座側固定孔９４がそれぞれ設けられている。上述した固定部９２は円柱状に左右方向に突出するように設けられており、弁座側固定孔９４に挿入される形で篏合している。
【００３７】
このように、弁座側固定孔９４には固定部９２が挿入され篏合固定されているため、揺動部材７４は固定部９２を支点として揺動し、弁座８０への着座（閉弁状態）と離間（開弁状態）を切り替えることで止水状態と給水状態とを切り替える。すなわち、立壁に設けられたそれぞれの弁座側固定孔９４を繋ぐ直線を軸心として揺動部材７４は揺動することとなる。
【００３８】
図１０は本発明の一実施形態における弁座８０の斜視図を示す。図１０に示すように、弁座側固定孔９４が設けられた立壁には、弁座側固定孔９４と連通する溝９６（ガイド部）が設けられている。揺動部材７４を弁座８０へ取り付ける際には、固定部９２を溝９６に沿わせてｙ方向に移動させ、弁座側固定孔９４と固定部９２とを篏合させる。
【００３９】
このように構成された本発明の一実施形態においては、溝９６（ガイド部）が固定部９２を弁座側固定孔９４へと誘導するため、腕部９０に設けられた固定部９２と弁座側固定孔９４とを嵌合させることができる。
【００４０】
また、図１１は揺動部材７４が弁座８０に誤施工された状態を示す。一方の固定部９２は弁座側固定孔９４に挿入されており、他方の固定部９２は溝９６上に位置している。この時、弁体取付部７８は正常な取付状態に比べて所定角度傾いた状態となっている。さらに、図１０及び図１１に示すように、溝９６は弁座側固定孔９４とはｚ方向にずれた位置に形成されており、溝９６はｙ方向に延びた後に弁座側固定孔９４と連通している。
【００４１】
ここで、図１１には、弁座側固定孔９４にそれぞれ固定部９２が挿入され正常に揺動する場合の軸心Ａと、溝９６上における軸心Ｂとを示しており、軸心Ｂは軸心Ａとはｚ方向にずれた位置である。このように、溝９６は正常に施工された場合の軸心Ａとずれた位置を経由して弁座側固定孔９４に連通しているため、図１１に示すように一方の固定部９２が弁座固定孔９４に挿入され、他方の固定部９２が正常に挿入されていない場合には、軸心Ａと軸心Ｂがずれているため、揺動部材７４が異常な軌跡を示す。すなわち、溝９６が揺動部材７４の正常な揺動動作を規制する。
【００４２】
さらに、図１０及び図１１に示すように溝９６が２つの傾斜面からなるＶ字状の溝形状となるよう構成されている。このように溝９６を形成することで、溝９６に沿わせて固定部９２を移動させる際（弁座固定孔９４に達する前の溝９６に固定部９２があるとき）に、２つの傾斜面と固定部材９２が当接することとなり、固定部９２を支点とした揺動動作が正常に行われない。すなわち、溝部９６がＶ字状に形成されているため、揺動部材７４の正常な揺動動作を規制する。
【００４３】
なお、本明細書では、溝９６が直線状に弁座側固定孔９４に連通する形態を示したが、これに限るものではなく、例えば曲線状に溝９６を弁座固定孔９４に連通させることも好ましい。
【００４４】
上述のように、本発明の一実施形態によれば、溝部９６（ガイド部）は、固定部９２が弁座固定孔９４に挿入され嵌合した正常な施工状態となるように誘導するものであり、さらに、溝部９６上に固定部９２がある場合には、揺動部材７４が正常に揺動動作を行うことを規制するため、施工者が正常に施工されたと誤認してしまうことを抑制することができる。したがって、施工者が正常にボールタップ式開閉弁装置４８を施工することができるため、揺動部材７４の脱落による止水不良を抑制することができる。
【００４５】
以上、本発明の一実施形態を詳述したがこれはあくまで一例示であり、本発明はその趣旨を逸脱しない範囲において種々変更を加えた形態で構成可能である。
【符号の説明】
【００４６】
１            水洗大便器
２            便器本体
４            ボウル部
６            導水路
８            排水トラップ管路
１０          リム
１８          洗浄水タンク装置
２０          洗浄水タンク
２４          排水弁装置
２６          フロートスイッチ
２８          給水装置
３０          オーバーフロー管
４２          一次側通水路
４４          圧力室
４６          電磁弁装置
４８          ボールタップ式開閉弁装置
５０          主弁体部
５２          二次側通水路
５４          第１のパイロット穴部
５６          二次側流路
５８          第２のパイロット穴部
６０ａ        拡径部
６０          連通流路
６２          給水口部
６４          電磁弁弁体
７０          弁体
７２          フロート
７４          揺動部材
８０          弁座
８２          主弁体
９０          腕部
９２          固定部
９４          弁座側固定孔
９６          溝（ガイド部）
ＷＬ１        満水水位
ＷＬ２        ボールタップ式弁体止水水位
【図１】
2019060181.tif 000003
【図２】
2019060181.tif 000004
【図３】
2019060181.tif 000005
【図４】
2019060181.tif 000006
【図５】
2019060181.tif 000007
【図６】
2019060181.tif 000008
【図７】
2019060181.tif 000009
【図８】
2019060181.tif 000010
【図９】
2019060181.tif 000011
【図１０】
2019060181.tif 000012
【図１１】
2019060181.tif 000013